(57)【要約】【課題】  人孔と人孔とを連通する濁水が存在する管路で、テレビカメラによる点検ができることを目的とする。【解決手段】  人孔と人孔とを連通する濁水が存在する管路の点検方法であって、エア供給管を有する止水ボールとテレビカメラと清水供給管と排水調整用ボールとを備えた管路点検装置を管路内に挿入し、エア供給管より圧縮空気を供給して止水ボールにより管路を閉塞し、止水ボールと排水調整用ボールとの間に清水供給管により清水を供給して濁水を清水に置換して異常箇所をテレビカメラで点検し撮影するようにした濁水が存在する管路の点検方法とした。【選択図】  図２
2005106732.tif 000002
【特許請求の範囲】
【請求項１】
人孔と人孔とを連通する濁水が存在する管路の点検方法であって、エア供給管を有する止水ボールとテレビカメラと清水供給管と排水調整用ボールとを備えた管路点検装置を管路内に挿入し、エア供給管より圧縮空気を供給して止水ボールにより管路を閉塞し、止水ボールと排水調整用ボールとの間に清水供給管により清水を供給して濁水を清水に置換して異常箇所をテレビカメラで点検し撮影するようにした濁水が存在する管路の点検方法。
【請求項２】
人孔と人孔とを連通する濁水が存在する管路に挿入し設置する管路の点検装置であって、圧縮空気を供給して管路を閉塞するエア供給管を備えた止水ボールと、排水調整用ボールと、止水ボールと排水調整用ボールとの間に清水を供給して濁水を清水に置換する清水供給管と、置換されて清水になった管路の異常箇所を点検し撮影するテレビカメラとよりなる濁水存在する管路の点検装置。
【発明の詳細な説明】
【技術分野】
【０００１】
本発明は、管路の点検方法と管路の点検装置に関するものである。
【背景技術】
【０００２】
従来、管路内の溜水存在箇所においては、テレビカメラ通過時に濁りが発生し、管路の点検ができなかった。
【特許文献１】特開平０８−１５９９７８号公報
【発明の開示】
【発明が解決しようとする課題】
【０００３】
人孔と人孔とを連通する濁水が存在する管路で、テレビカメラによる点検ができることが求められている。
【課題を解決するための手段】
【０００４】
そこで、本発明は、上記の事情に鑑み、人孔と人孔とを連通する濁水が存在する管路でテレビカメラによる点検ができるようにすべく、人孔と人孔とを連通する濁水が存在する管路の点検方法であって、エア供給管を有する止水ボールとテレビカメラと清水供給管と排水調整用ボールとを備えた管路点検装置を管路内に挿入し、エア供給管より圧縮空気を供給して止水ボールにより管路を閉塞し、止水ボールと排水調整用ボールとの間に清水供給管により清水を供給して濁水を清水に置換して異常箇所をテレビカメラで点検し撮影するようにした濁水が存在する管路の点検方法とした。
【０００５】
また、本発明は、人孔と人孔とを連通する濁水が存在する管路でテレビカメラによる点検ができるようにすべく、人孔と人孔とを連通する濁水が存在する管路に挿入し設置する管路の点検装置であって、圧縮空気を供給して管路を閉塞するエア供給管を備えた止水ボールと、排水調整用ボールと、止水ボールと排水調整用ボールとの間に清水を供給して濁水を清水に置換する清水供給管と、置換されて清水になった管路の異常箇所を点検し撮影するテレビカメラとよりなる濁水が存在する管路の点検装置とした。
【発明の効果】
【０００６】
本発明は、上述のように、人孔と人孔とを連通する濁水が存在する管路の点検方法であって、エア供給管を有する止水ボールとテレビカメラと清水供給管と排水調整用ボールとを備えた管路点検装置を管路内に挿入し、エア供給管より圧縮空気を供給して止水ボールにより管路を閉塞し、止水ボールと排水調整用ボールとの間に清水供給管により清水を供給して濁水を清水に置換して異常箇所をテレビカメラで点検し撮影するようにした濁水が存在する管路の点検方法としたので、人孔と人孔とを連通する濁水が存在する管路で濁水が存在しても、テレビカメラによる点検ができる。
【０００７】
また、本発明は、人孔と人孔とを連通する濁水が存在する管路に挿入し設置する管路の点検装置であって、圧縮空気を供給して管路を閉塞するエア供給管を備えた止水ボールと、排水調整用ボールと、止水ボールと排水調整用ボールとの間に清水を供給して濁水を清水に置換する清水供給管と、置換されて清水になった管路の異常箇所を点検し撮影するテレビカメラとよりなる濁水が存在する管路の点検装置としたので、人孔と人孔とを連通する濁水が存在する管路で、テレビカメラによる点検ができる。
【発明を実施するための最良の形態】
【０００８】
本発明を添付する図面に示す最良の形態に基づいて、以下詳細に説明する。
【０００９】
図１に示すように、人孔（マンホール）１と相隣る人孔１とは管路２で連通され、管路２には電気ケーブル等が挿通される。管路２に異常箇所が濁水により確認できない場合に本発明は適用する。管路２の異常としては、段差、開き、亀裂、破損等がある。
【００１０】
本発明の濁水が存在する管路の点検装置としては、図２に示すものを用いる。
【００１１】
この濁水が存在する管路の点検装置は、人孔１と相隣る人孔１とを連通する濁水が存在する管路２に挿入し設置する装置であって、圧縮空気を供給して管路２を閉塞するエア供給管３を備えた止水ボール４と、排水調整用ボール５と、止水ボール４と排水調整用ボール５との間に清水を供給して濁水を清水に置換する清水供給管路と、置換されて清水になった管路２の異常箇所を点検し撮影するテレビカメラ７とよりなる。
【００１２】
止水ボール４とテレビカメラ７およびテレビカメラ７と排水調整用ボール５とはそれぞれチェーン８で連結され、この装置の前端の止水ボール４にはワイヤー９が連結され、この装置の後端の排水調整用ボール５にもワイヤー１０が連結されている。
【００１３】
図３に本発明の濁水が存在する管路の点検方法の全体の概要を示す。符号１１は発電機、符号１２は水タンク、符号１３はテレビカメラ車、符号１４はテレビカメラ路とカメラ車１３とを接続するケーブルを示す。
【００１４】
次に本濁水が存在する管路の点検方法について述べる。
【００１５】
溜水が濁水である管路２を点検する場合は、カーボンロッドを人孔１（図に向かって右側の人孔）から相隣る人孔１（図に向かって左側の人孔）に押し込む。人孔１に至ったカーボンロッドにより本点検装置の前端のワイヤー９を引き込む。
【００１６】
テレビカメラ７をセッティングする等の機器の動作の確認を行う。
【００１７】
テレビカメラ７の前後にはチェーン８を介して止水ボール４と排水調整用ボールが接続されている。
【００１８】
本点検装置の止水ボール４が所定の位置になるまでワイヤー９により引込み、管路口１５にテレビカメラ７を設置する。
【００１９】
管路口１５で距離カウンターをセットする。
【００２０】
テレビカメラ７を導通させて破損箇所とテレビカメラ７との距離を確認する。
【００２１】
止水ボール４にエア供給管３より圧縮空気（０．５ｋｇｆ／ｃｍ2 ）を供給して膨らませて管路２を閉塞する。
【００２２】
清水を清水供給管路により止水ボール４と排水調整用ボール５との間に供給し、濁水を清水に置換する。止水ボール４と排水調整用ボール５との間が当初は濁ったまま何も見えないが、４分後には管路２内が見え始め、１０分後には止水ボール４・破損箇所がはっきり確認できるようになる。濁水を清水と置換し、破損箇所をテレビカメラ７で点検撮影し、テレビモニターにて監視し、ビデオおよび写真撮影をする。
【００２３】
破損箇所の検尺を行って破損箇所を確認する。
【００２４】
テレビカメラ７を管路２より引き抜く。
【００２５】
後片付け、清掃を行って、管路２の点検作業を完了する。
【実施例】
【００２６】
従来は、異常箇所が濁水によりテレビカメラで人孔内から確認できない場合は、調査掘（開削）により管の状態を確認しなければならなかったが、公道を掘削するため、騒音、振動、交通障害などが発生し、道路の本復旧工事を伴った。
【００２７】
これに対し、本発明は、濁水の溜まった異常箇所をエアー膨張性の止水ボールにより隔離し、隔離箇所に高圧水を送水し濁水を清水に置換することにより異常箇所の視界を良くし、テレビカメラでの確認を可能とした。
【００２８】
これにより、非開削で確認でき、騒音、振動、交通障害などの発生が回避できる。
【産業上の利用可能性】
【００２９】
本発明は、電気ケーブルの管路の点検のみならず、他の管路の点検にも適用できる。
【図面の簡単な説明】
【００３０】
【図１】本発明の人孔と相隣る人孔とを連結する管路が溜水した状態を示す概略図である。
【図２】本発明の濁水が存在する管路の点検装置により濁水を清水に置換する状態を説明する図である。
【図３】本発明の濁水が存在する管路の点検方法の全体の概要を示す図である。
【符号の説明】
【００３１】
１…人孔
２…管路
３…エア供給管
４…止水ボール
７…テレビカメラ
６…清水供給管
５…排水調整用ボール
【図１】
2005106732.tif 000003
【図２】
2005106732.tif 000004
【図３】
2005106732.tif 000005